(57)【要約】【課題】  ハニカム芯材を表裏のパネル板で挟んで一体化した軽量且つ簡易な構造であり、各部材の位置決めが正確に行え、接着作業が容易であり、更に強度を維持しつつコスト低減化を図ることが可能な間仕切パネルを提供する。【解決手段】  表裏パネル板１，２は、四角形の表面板７の周囲を裏側へ折曲して縁板部８を形成し、対向する一対の縁板部に表面板と直交する側板９，１０を形成し、表裏パネル板の側板同士が内外に重ね合わさるように設定し、表裏パネル板の一方の側板に第１切欠部１２を形成し、対応する他方の側板に第２切欠部１３を形成し、保持具４の嵌合部１６に第１切欠部に係合する第１係合部１７を形成し、反対側に第２切欠部に係合する第２係合部１８を形成し、保持具の嵌合部を表裏パネル板の第１切欠部と第２切欠部に係合して両側板を内外に位置決めした状態で重ね合わせる。【選択図】        図９
2014109108.tif 000002
【特許請求の範囲】
【請求項１】
ハニカム芯材をスチール製の表裏のパネル板で挟んで一体化した間仕切パネルであって、表裏パネル板は、四角形の表面板の周囲を裏側へ折曲して縁板部を形成するとともに、対向する一対の縁板部に前記表面板と直交する側板を形成し、表裏パネル板の側板同士が内外に重ね合わさるように設定し、表裏パネル板の一方の側板に第１切欠部を形成するとともに、対応する他方の側板に第２切欠部を形成し、保持具の嵌合部に前記第１切欠部に係合する第１係合部を形成するとともに、反対側に前記第２切欠部に係合する第２係合部を形成し、前記保持具の嵌合部を表裏パネル板の第１切欠部と第２切欠部に係合して両側板を内外に位置決めした状態で重ね合わせることを特徴とする間仕切パネル。
【請求項２】
前記保持具は、前記パネル板の側板の内側に位置するブロック状の本体部と、該本体部の外側面の上下中間部に一体形成した係止部とからなり、前記係止部は首部と前記側板の外側に当止する頭部とを備え、前記首部に前記嵌合部を形成してなる請求項１記載の間仕切パネル。
【請求項３】
前記第１切欠部は凸形状、前記第２切欠部は四角形状の切り欠きであり、前記第１係合部は凸形状、前記第２係合部は前記第２切欠部に受け入れられる形状を前記嵌合部に部分的に形成してなる請求項１又は２記載の間仕切パネル。
【請求項４】
前記保持具は、一方のパネル板の側板に形成した前記第１切欠部に前記第１係合部が係合した状態で、前記本体部が前記表面板の裏面に当接するとともに、前記本体部の内側面で前記ハニカム芯材を当止して位置決めし、他方のパネル板の側板に形成した前記第２切欠部を前記第２係合部に係合する際に、一方のパネル板の側板の外側に、他方のパネル板の側板が位置するように強制する案内部を設けてなる請求項１〜３何れか１項に記載の間仕切パネル。
【請求項５】
前記保持具を用いて表裏パネル板を接合した状態で、コーナー部に取付けるコーナー金具に設けた一対の爪片を表裏パネル板の両側板に形成した各スリット孔に係合してなる請求項１〜４何れか１項に記載の間仕切パネル。
【発明の詳細な説明】
【技術分野】
【０００１】
本発明は、間仕切パネルに係わり、更に詳しくは芯材を表裏パネル板で挟んだ構造の間仕切パネルに関するものである。
【背景技術】
【０００２】
従来から、ペーパーハニカムや不燃処理を施したペーパーハニカムを芯材として、表裏にスチール製のパネル板を接合した構造の間仕切パネルは公知である。そして、このような間仕切パネルは、表裏のパネル板の周囲に内側へ折曲した縁板を形成し、両側部において表裏パネル板の縁板の一部を内外に重ね合わせ、この重合部をネジ止めする構造も公知であり、表裏パネル板の縁板によって周囲に凹溝部が形成される構造となっている。ここで、前記凹溝部は、左右に間仕切パネルを連結するための支柱や縦枠を取付け、巾木や笠木を取付ける金具を装着するために利用される。
【０００３】
特許文献１には、ドアパネルに関するものであるが、スチール製の表裏パネル板の間にペーパーハニカム芯材を挟み込んで接着し、表裏パネル板の側部縁板を内外に重ね合わせ、側端面にエッジ部材を沿わせて縁板の重合部にネジ止めする構造が記載されている。しかし、このような構造の間仕切パネルでは、製造時におけるパネル板の反りや、側部縁板の曲げ角度の微妙な誤差によって、設計どおりに表裏のパネル板の側部縁板が内外に重なるように嵌め合せることは難しい。
【０００４】
そこで、特許文献２には、表裏のパネル板の端部同士が互いに接触することがなく、ハニカム芯材と表裏のパネル板とを接着するとともに、両側において表裏のパネル板の端部同士を補強金具で連結した軽量且つ簡易な構造の間仕切パネルが開示されている。具体的には、前記パネル板は、表面板の周囲を裏側へ折曲して縁板を形成し、左右の少なくとも一側に前記縁板の内縁から側方内側へ凹陥部を折曲形成するとともに、表裏パネル板の前記凹陥部内に係合孔を形成し、前記補強金具は表裏パネル板の凹陥部で形成される嵌合凹部内の底面部に接合可能な連結板と、該連結板の両端部に形成した爪片を備え、両爪片を両パネル板の対応する前記係合孔にそれぞれ係合してなるのである。
【０００５】
しかし、表裏パネル板の間にハニカム芯材を接着してパネル基材を製造する際、表裏のパネル板の位置ずれを抑えるために、接着剤が硬化するまで外から押えて位置を矯正する設備が必要であった。
【先行技術文献】
【特許文献】
【０００６】
【特許文献１】特開２００５−２１３７２１号公報
【特許文献２】特開２０１２−１３２２９７号公報
【発明の概要】
【発明が解決しようとする課題】
【０００７】
そこで、本発明が前述の状況に鑑み、解決しようとするところは、ハニカム芯材を表裏のパネル板で挟んで一体化した軽量且つ簡易な構造であり、パネル板とハニカム芯材の位置決めが正確に行え、接着作業が容易であり、更に強度を維持しつつコスト低減化を図ることが可能な間仕切パネルを提供する点にある。
【課題を解決するための手段】
【０００８】
本発明は、前述の課題解決のために、ハニカム芯材をスチール製の表裏のパネル板で挟んで一体化した間仕切パネルであって、表裏パネル板は、四角形の表面板の周囲を裏側へ折曲して縁板部を形成するとともに、対向する一対の縁板部に前記表面板と直交する側板を形成し、表裏パネル板の側板同士が内外に重ね合わさるように設定し、表裏パネル板の一方の側板に第１切欠部を形成するとともに、対応する他方の側板に第２切欠部を形成し、保持具の嵌合部に前記第１切欠部に係合する第１係合部を形成するとともに、反対側に前記第２切欠部に係合する第２係合部を形成し、前記保持具の嵌合部を表裏パネル板の第１切欠部と第２切欠部に係合して両側板を内外に位置決めした状態で重ね合わせることを特徴とする間仕切パネルを構成した（請求項１）。
【０００９】
ここで、前記保持具は、前記パネル板の側板の内側に位置するブロック状の本体部と、該本体部の外側面の上下中間部に一体形成した係止部とからなり、前記係止部は首部と前記側板の外側に当止する頭部とを備え、前記首部に前記嵌合部を形成してなることが好ましい（請求項２）。
【００１０】
また、前記第１切欠部は凸形状、前記第２切欠部は四角形状の切り欠きであり、前記第１係合部は凸形状、前記第２係合部は前記第２切欠部に受け入れられる形状を前記嵌合部に部分的に形成してなることがより好ましい（請求項３）。
【００１１】
更に、前記保持具は、一方のパネル板の側板に形成した前記第１切欠部に前記第１係合部が係合した状態で、前記本体部が前記表面板の裏面に当接するとともに、前記本体部の内側面で前記ハニカム芯材を当止して位置決めし、他方のパネル板の側板に形成した前記第２切欠部を前記第２係合部に係合する際に、一方のパネル板の側板の外側に、他方のパネル板の側板が位置するように強制する案内部を設けてなることがより好ましい（請求項４）。
【００１２】
そして、前記保持具を用いて表裏パネル板を接合した状態で、コーナー部に取付けるコーナー金具に設けた一対の爪片を表裏パネル板の両側板に形成した各スリット孔に係合してなることも好ましい（請求項５）。
【発明の効果】
【００１３】
以上にしてなる請求項１に係る発明の間仕切パネルは、ハニカム芯材をスチール製の表裏のパネル板で挟んで一体化した間仕切パネルであって、表裏パネル板は、四角形の表面板の周囲を裏側へ折曲して縁板部を形成するとともに、対向する一対の縁板部に前記表面板と直交する側板を形成し、表裏パネル板の側板同士が内外に重ね合わさるように設定し、表裏パネル板の一方の側板に第１切欠部を形成するとともに、対応する他方の側板に第２切欠部を形成し、保持具の嵌合部に前記第１切欠部に係合する第１係合部を形成するとともに、反対側に前記第２切欠部に係合する第２係合部を形成し、前記保持具の嵌合部を表裏パネル板の第１切欠部と第２切欠部に係合して両側板を内外に位置決めした状態で重ね合わせるので、表裏パネル板の側板同士を内外に重ね合せた状態に確実に接合することができ、また表裏パネル板の側板に形成した切欠部に保持具の向きを間違いなく係合することができ、ハニカム芯材との接着時に位置決め設備が不要になり、作業者が各部材の位置ずれを気にしなくても良くなり、作業効率が大幅に向上する。また、構造が単純であり、製造が容易であるので、コスト低減化と軽量化を図ることができる。更に、表裏のパネル板がハニカム芯材に接着した状態で、表裏のパネル板の側板同士を保持具で機械的に保持したので、間仕切パネルとしての必要な強度も備えている。
【００１４】
請求項２によれば、前記保持具は、前記パネル板の側板の内側に位置するブロック状の本体部と、該本体部の外側面の上下中間部に一体形成した係止部とからなり、前記係止部は首部と前記側板の外側に当止する頭部とを備え、前記首部に前記嵌合部を形成してなるので、パネル板の側板の内側に位置した保持具の本体部をハニカム芯材の位置決めに利用することができ、ハニカム芯材がパネルの板の表面板の裏面に接着する前に、位置ずれを起こすことがない。
【００１５】
請求項３によれば、前記第１切欠部は凸形状、前記第２切欠部は四角形状の切り欠きであり、前記第１係合部は凸形状、前記第２係合部は前記第２切欠部に受け入れられる形状を前記嵌合部に部分的に形成してなるので、簡単な構造で切欠部と係合部との係合間違いを防止でき、また視覚的にも第１切欠部と第２切欠部を確実に見分けることができ、作業間違いも生じない。
【００１６】
請求項４によれば、前記保持具は、一方のパネル板の側板に形成した前記第１切欠部に前記第１係合部が係合した状態で、前記本体部が前記表面板の裏面に当接するとともに、前記本体部の内側面で前記ハニカム芯材を当止して位置決めし、他方のパネル板の側板に形成した前記第２切欠部を前記第２係合部に係合する際に、一方のパネル板の側板の外側に、他方のパネル板の側板が位置するように強制する案内部を設けてなるので、第１切欠部を設けたパネル板を側板が上を向くように水平に置き、保持具の第１係合部を第１切欠部に係合させると、本体部が表面板の裏面に当接した状態で保持具が安定に立起姿勢を保ち、各保持具の本体部の内側面にハニカム芯材を当止して位置決めした後、第２切欠部を設けたパネル板の各第２切欠部を各保持具の第２係合部に同時に係合させる作業が容易になり、前記第２切欠部に第２係合部に係合する際に側板が案内部によって下方のパネル板の側板の外側に強制的に重ね合わさるように案内するので、表裏パネル板の側板を確実に接合することができる。
【００１７】
請求項５によれば、前記保持具を用いて表裏パネル板を接合した状態で、コーナー部に取付けるコーナー金具に設けた一対の爪片を表裏パネル板の両側板に形成した各スリット孔に係合してなるので、接着剤が未硬化の時にも表裏パネル板が離れることがなく、各部材がずれることなく正確な位置に保持される。
【図面の簡単な説明】
【００１８】
【図１】本発明に係る間仕切パネルの全体斜視図である。
【図２】コーナー部にコーナー金具を取付ける状態の分解斜視図である。
【図３】本発明に係る間仕切パネルの分解斜視図である。
【図４】同じく間仕切パネルの分解側面図である。
【図５】保持具の全体斜視図である。
【図６】保持具を示し、（ａ）は正面図、（ｂ）は側面図、（ｃ）は嵌合部で破断した断面図である。
【図７】間仕切パネルの下部の構造を示す分解斜視図である。
【図８】間仕切パネルの上部の構造を示す分解斜視図である。
【図９】間仕切パネルの要部の断面図である。
【図１０】間仕切パネルの部分正面図である。
【図１１】間仕切パネルのコーナー金具を用いて側部の凹溝部に支柱を取付けるとともに、上部の凹溝部に笠木支持部材を取付け、更に巾木隔壁板を取付けた状態の部分正面図である。
【図１２】同じく支柱を省略した側面図である。
【発明を実施するための形態】
【００１９】
次に、添付図面に示した実施形態に基づき、本発明を更に詳細に説明する。図１は本発明の完成状態の間仕切パネルを示し、図２はコーナー金具を取付ける前の状態を示し、図３は分解斜視図を示し、図４〜図１２は詳細を示し、図中符号Ａは間仕切パネル、１，２はパネル板、３はハニカム芯材、４は保持具、５は下コーナー金具、６は上コーナー金具をそれぞれ示している。
【００２０】
本発明の第１実施形態に係る間仕切パネルＡは、図１〜図３に示すように、スチール製の表裏パネル板１，２の間にハニカム芯材３を挟んで接着一体化して構成する。前記芯材３としては、不燃ハニカム芯材を用いることが好ましく、特に軽量化とコスト削減のためペーパーハニカム芯材を用いる。前記パネル板１，２は、四角形の表面板７の周囲を裏側へ断面略Ｌ字形に折曲して縁板部８を形成した基本構造を有している。表側パネル板１の両側部の縁板部８，８には、内縁から前記表面板７に直角に裏側に向けて側板９，９を形成している。同様に、裏側パネル板２の両側部の縁板部８，８には、内縁から前記表面板７に直角に裏側に向けて側板１０，１０を形成している。そして、表裏パネル板１，２の間にハニカム芯材３を挟んで接着一体化した状態では、前記縁板部８及び側板９，１０とで周囲に凹溝部１１が形成され、この凹溝部１１を利用して下部コーナー部には下コーナー金具５を取付け、上部コーナー部には上コーナー金具６を取付ける。
【００２１】
本実施形態では、前記パネル板１には、両側の縁板部８，８に前記表面板７と直交する側板９，９を形成し、前記パネル板２にも、両側の縁板部８，８に前記表面板７と直交する側板１０，１０を形成したが、上下の側縁部８，８に一対の側板を設けても良く、場合によっては全周に側板を設けても良いが、構造を可能な限り簡単にし且つ強度を保つためには、縦長の間仕切パネルＡでは本実施形態のように両側部に側板を設ける方が好ましい。
【００２２】
前記表裏パネル板１，２は、側板９，１０同士が内外に重ね合わさるように設定し、それ以外の部位では接触しないようになっている。そして、図４に示すように、前記パネル板１の側板９に凸形状の第１切欠部１２を上下部に形成するとともに、前記パネル板２の対応する位置の側板１０に四角形状の第２切欠部１３を形成している。
【００２３】
そして、前記保持具４は、合成樹脂製の成形品であり、図５及び図６に示すように、前記パネル板１の側板９の内側に位置するブロック状の本体部１４と、該本体部１４の外側面の上下中間部に一体形成した係止部１５とからなり、前記係止部１５は首部１５Ａと前記側板９，１０の外側に当止する頭部１５Ｂとを備えている。前記保持具４の前記首部１５Ａに前記第１切欠部１２と第２切欠部１３に係合する嵌合部１６を形成している。前記保持具４の嵌合部１６に前記第１切欠部１２に係合する凸形状の第１係合部１７を形成するとともに、反対側に前記第２切欠部１３に係合する第２係合部１８を形成している。更に、図９に示すように、前記保持具４の嵌合部１６を表裏パネル板１，２の第１切欠部１２と第２切欠部１３に係合すれば、両側板９，１０を内外に位置決めした状態で重ね合わせることができるように、係合位置が設定されている。
【００２４】
更に詳しくは、図４及び図６に示すように、前記第１切欠部１２には、中央部を深く切り欠いて凹部１２Ａを形成し、前記第１係合部１７には、前記凹部１２Ａに嵌合する凸部１７Ａを突設している。一方、前記第２切欠部１３の横幅は、第１切欠部１２の横幅よりも大きく設定し、それ伴い第２係合部１８の横幅も第１係合部１７の横幅より大きくするとともに、第２係合部１８は第１切欠部１２に係合できない大きさに設定している。それにより、誤って第１切欠部１２に第２係合部１８を嵌合することはない。本実施形態では、前記第１切欠部１２の凹部１２Ａの底部までの深さと第２切欠部１３の深さを一致させているので、前記第１係合部１７は第２切欠部１３に挿入することは可能であるが、前記凸部１７Ａが、四角形の第２切欠部１３の底部に当たり、また遊びが大きくぐらつく状態になるので、保持具４の向きが間違っていることに気づくのである。尚、前記第２切欠部１３を浅くする又は第１切欠部１２を深くすることで、前記保持具４の係合方向の間違いを防ぐことも可能であるが、抜き加工コストが上昇する。更に、保持具４の頭部１５Ｂには最初に係合する方向を示した矢印１９が表示されているので、第１係合部１７の向きを誤ることはない。また、前記第１切欠部１２と第２切欠部１３の形状を変えることにより、視覚的に区別することができ、前記保持具４の向きを間違うことの防止にもなる。
【００２５】
また、前記第１係合部１７は、前記凸部１７Ａを含めて両側部を面取りして前記第１切欠部１２に係合する際の誘いとし、同様に第２係合部１８は、両側部を面取りして前記第２切欠部１３に受け入れる際の誘いとしている。
【００２６】
更に、前記保持具４は、図９に示すように、一方の前記パネル板１の側板９に形成した前記第１切欠部１２に前記第１係合部１７が係合した状態で、前記本体部１４が前記表面板７の裏面に当接するとともに、前記本体部１４の内側面で前記ハニカム芯材３を当止して位置決めし、他方の前記パネル板２の側板１０に形成した前記第２切欠部１３を前記第２係合部１８に係合する際に、前記パネル板１の側板９の外側に、前記パネル板２の側板１０が位置するように強制する案内部２０，２１を設けている。前記保持具４の本体部１４の外側面において、図９に示すように、前記パネル板１の側板９の内側面に当接する第１当接部２２に対して、前記パネル板２の側板１０の内側面に当接する第２当接部２３のレベルを側板９の板厚分だけ外側に設定している。そして、前記第１係合部１７の近傍で、前記係止部１５の頭部１５Ｂに、前記第１当接部２２に内側面を当接した側板９の外側面の縁部に当接して保持する第１係止部２４を形成している。また、前記本体部１４と前記係止部１５の頭部１５Ｂの間に挿入された前記パネル板２の側板１０の内側面は、第２係合部１８の近傍で本体部１４の外側に設けた傾斜面からなる案内部２０で案内されて該第２係合部１８に前記第２切欠部１３が係合するが、前記側板１０の先端の外側面は、前記頭部１５Ｂに形成された傾斜面からなる案内部２１で案内されて第２係止部２５に係止する。この状態で、前記側板９の外側に側板１０の先端部が重なり、前記パネル板１の両側板９，９に前記パネル板２の両側板１０，１０が外嵌することになる。
【００２７】
作業手順は以下のとおりである。先ず、前記パネル板１を側板９が上を向くように水平に置き、各第１切欠部１２に前記保持具４の第１係合部１７を係合させて、本体部１４を側板９の内側に立起状態に装着する。この際、本体部１４の下端はパネル板１の表面板７の裏面に当接し、立起姿勢が維持される。それから、図９及び図１０に示すように、表裏両面に接着剤を塗布したハニカム芯材３を、各保持具４の本体部１４の内側面に当接した状態でパネル板１の表面板７の裏面に載置する。それから、前記パネル板２を側板１０が下を向くように配置して、前記パネル板１に重ねて、各第２切欠部１３をそれぞれ対応する前記保持具４の第２係合部１８に係合する。この際、前記パネル板１の側板９とパネル板２の側板１０の内外位置関係は正確に決まり、規定の状態に接合し、前記ハニカム芯材３にパネル板２の表面板７の裏面を接合する。この状態でも、前記パネル板１，２及びハニカム芯材３は正確に位置決めされているが、本発明では更に各コーナー部にコーナー金具を取付けてより強固にする。
【００２８】
前記下コーナー金具５と上コーナー金具６を取付けるための構造は共通であり、前記側板９と側板１０に同一形状の切り欠きを設けて対応している。例えば、図４に示すように、前記パネル板１の側板９には、前記第１切欠部１２よりもコーナー部寄りに、Ｌ字形切欠部２６を形成するとともに、該Ｌ字形切欠部２６と第１切欠部１２の間にＵ字形切欠部２７を形成し、更にコーナー端部で縁板部８に近い位置に縦長のスリット孔２８を形成している。前記パネル板２の側板１０にも同様に、Ｌ字形切欠部２６、Ｕ字形切欠部２７及びスリット孔２８を形成している。表裏の前記パネル板１，２を接合した際には、図２に示すように、両側板９，１０に形成したＬ字形切欠部２６，２６によりＴ字形孔２９が形成され、Ｕ字形切欠部２７，２７により円孔３０が形成される。
【００２９】
前記下コーナー金具５は、図７、図１１及び図１２に示すように、垂直部３１と水平部３２を有する正面視略Ｌ字形の金具であり、前記垂直部３１において、中央部に外側へ断面コ字状の突出した台座３３を有し、該台座３３の両側に下向きフック３４，３４を形成し、上端部は取付板３５となっており、該取付板３５の中央部に螺孔３６を形成し、更に下端部の両側には爪片３７，３７を突設している。また、前記下コーナー金具５の水平部３２には、巾木を支持し、コード受けとなる巾木隔壁板を取付けることができる構造となっている。そして、前記下コーナー金具５を間仕切パネルＡの下部コーナー部に取付けるには、前記取付板３５を前記Ｔ字形孔２９から挿入し、側板９の内側に位置させるとともに、垂直部３１を側板９，１０の外側に沿わせるとともに、両爪片３７，３７を前記スリット孔２８，２８に嵌入する。それから、前記円孔３０から層通したネジ３８を前記取付板３５の螺孔３６に螺合し、ネジ３８の頭部と取付板３５で両側板９，１０を挟み込んで保持する。
【００３０】
前記上コーナー金具６は、図８、図１１及び図１２に示すように、垂直部３９と水平部４０を有する正面視略Ｌ字形の金具であり、垂直部３９は前記下コーナー金具５の垂直部３１と略同じ構造であり、前記垂直部３９において、中央部に外側へ断面コ字状の突出した台座３３を有し、該台座３３の両側に下向きフック３４，３４を形成し、下端部は取付板３５となっており、該取付板３５の中央部に螺孔３６を形成し、更に上端部の両側には爪片３７，３７を突設している。この上コーナー金具６を間仕切パネルＡの上部コーナー部に取付ける構造は前記同様である。
【００３１】
そして、下コーナー金具５と上コーナー金具６に設けた一対の爪片爪片３７，３７を表裏パネル板１，２の両側板９，１０に形成した各スリット孔２８，２８に係合すると、接着剤が未硬化の時にも表裏パネル板１，２が離れることがなく、各部材がずれることなく正確な位置に保持されるのである。
【００３２】
また、図１１及び図１２に示すように、前記凹溝部１１の内部において、前記下コーナー金具５と上コーナー金具６の下向きフック３４，３４を支柱４１の係止孔に係止して取付け、該支柱４１を介して複数の間仕切パネルＡを連結する。尚、図示しないが、前記支柱４１の下端にはアジャスターを取付ける。また、上コーナー金具６の水平部４０を利用して、前記凹溝部１１の内部で笠木支持部材４２を取付けている。また、図示しないが、該笠木支持部材４２には笠木が取付けられ、前記下コーナー金具５の水平部３２を利用した巾木が取付けられて、間仕切パネルＡは完成する。
【符号の説明】
【００３３】
Ａ  間仕切パネル、
１  パネル板、          ２  パネル板、
３  ハニカム芯材、      ４  保持具、
５  下コーナー金具、    ６  上コーナー金具、
７  表面板、            ８  縁板部、
９  側板、              １０  側板、
１１  凹溝部、          １２  第１切欠部、
１２Ａ  凹部、          １３  第２切欠部、
１４  本体部、          １５  係止部、
１５Ａ  首部、          １５Ｂ  頭部、
１６  嵌合部、          １７  第１係合部、
１７Ａ  凸部、          １８  第２係合部、
１９  矢印、            ２０  案内部、
２１  案内部、          ２２  第１当接部、
２３  第２当接部、      ２４  第１係止部、
２５  第２係止部、      ２６  Ｌ字形切欠部、
２７  Ｕ字形切欠部、    ２８  スリット孔、
２９  Ｔ字形孔、        ３０  円孔、
３１  垂直部、          ３２  水平部、
３３  台座、            ３４  下向きフック、
３５  取付板、          ３６  螺孔、
３７  爪片、            ３８  ネジ、
３９  垂直部、          ４０  水平部、
４１  支柱、            ４２  笠木支持部材。
【図１】
2014109108.tif 000003
【図２】
2014109108.tif 000004
【図３】
2014109108.tif 000005
【図４】
2014109108.tif 000006
【図５】
2014109108.tif 000007
【図６】
2014109108.tif 000008
【図７】
2014109108.tif 000009
【図８】
2014109108.tif 000010
【図９】
2014109108.tif 000011
【図１０】
2014109108.tif 000012
【図１１】
2014109108.tif 000013
【図１２】
2014109108.tif 000014